(57)【要約】【課題】  本発明は折りたたみ型携帯電話機を組み立てやすく且つ信頼性の高いものにすることを課題とする。【解決手段】  フレキシブルケーブル１００が固定側筐体５１と可動側筐体５２とにまたがって配線してある。フレキシブルケーブル１００は、内部導体パターン１０２を中央に有するスペーサ部１０３と、このスペーサ部１０３を上下側より挟んで包むベース１０４及び内側の上側カバーレイ１０５と、ベース１０４及び上側カバーレイ１０５を上下より覆う上カバーレイ１０６及び下カバーレイ１０７と、両端側を補強する補強板１０８、１０９とよりなる。スペーサ部１０３は、上面に内部導体パターン１０２を有する下側スペーサ１１０と、上側スペーサ１１１とが重なった構成である。フレキシブルケーブル１００は、同軸型である。【選択図】  図７
2005295593.tif 000002
【特許請求の範囲】
【請求項１】
ユーザの手に保持される固定側筐体と、ヒンジによって該固定側筐体に対して折りたたみ可能である可動側筐体と、該可動側筐体が該固定側筐体の一面に重なった折りたたまれた状態にロックするロック手段と、該可動側筐体を該固定側筐体に対して開く方向に付勢する開き方向付勢手段と、上記固定側筐体に設けてあり該ロック手段のロックを解除するときに操作されるロック解除操作部とを有する折りたたみ型携帯電話機において、
フレキシブルなベース上に、信号伝送パターンに加えて、内部導体を構成する導体パターン及び外部導体を構成する導体パターンを有し、且つ、上記ベースが上記内部導体を構成する導体パターン及び外部導体を構成する導体パターンとの間に存在して内部絶縁体を形成する構成とした同軸型フレキシブルケーブルが、上記ヒンジを通って上記固定側筐体と上記可動側筐体とにまたがって配線してある構成の折りたたみ型携帯電話機。
【請求項２】
ユーザの手に保持される固定側筐体と、ヒンジによって該固定側筐体に対して折りたたみ可能である可動側筐体と、該可動側筐体が該固定側筐体の一面に重なった折りたたまれた状態にロックするロック手段と、該可動側筐体を該固定側筐体に対して開く方向に付勢する開き方向付勢手段と、上記固定側筐体に設けてあり該ロック手段のロックを解除するときに操作されるロック解除操作部とを有する折りたたみ型携帯電話機において、
フレキシブルケーブルと同軸ケーブルとが接着テープによって一体化した構成のフレキシブルケーブルが、上記ヒンジの個所で、巻き方向が、該フレキシブルケーブルの復元力が、上記可動側筐体を開く方向に作用するような方向であるループを形成して、上記固定側筐体と上記可動側筐体とにまたがって配線してある構成の折りたたみ型携帯電話機。
【請求項３】
第１の筐体と、第２の筐体と、回転可能にこれらを接続するヒンジ構造とを備えた折りたたみ型携帯電話機において、
フレキシブルなベース上に、信号伝送パターンに加えて、内部導体を構成する導体パターン及び外部導体を構成する導体パターンを有し、且つ、上記ベースが内部導体を構成する導体パターン及び外部導体を構成する導体パターンとの間に存在して内部絶縁体を形成する構成としたフレキシブルケーブルが、上記ヒンジを通って上記固定側筐体と上記可動側筐体とにまたがって配線してある構成の折りたたみ型携帯電話機。
【発明の詳細な説明】
【技術分野】
【０００１】
本発明は折りたたみ型携帯電話機に係り、特に、携帯時には折り畳まれており、通話をする際に釦操作を行なうことによって自動的に開かれる構造の折りたたみ型携帯電話機に関する。
【０００２】
携帯電話機は、構造的には、折りたたみ可能な構造である折りたたみ型携帯電話機と、折りたたみ構造でない所謂棒タイプの携帯電話機に分類される。折りたたみ型携帯電話機は、手動で開く構造と、釦操作を行なうことによって自動的に開かれる構造とに分類される。
【０００３】
折りたたみ型携帯電話機は、折り畳まれた状態では、棒タイプの携帯電話機に比べて相当に小型となるため、携帯に便利である。また、携帯電話機は、使用者が何か別の作業を行っているときに使用する場合が多く、この作業中では片手がふさがっていることが多い。釦操作を行なうことによって自動的に開かれる構造の携帯電話機は、片手の操作で開くことが可能であり、使い勝手が良い。そこで、折りたたみ型携帯電話機は、残った片手のみで操作できる構造、即ち、釦操作を行なうことによって自動的に開かれる構造であることが望ましい。
【背景技術】
【０００４】
図１（Ａ），（Ｂ）は従来の一例の自動的に開かれる構造の携帯電話機１０を示す。この携帯電話機１０は、操作キー側筐体１１と、表示部側筐体１２と、両者を連結するヒンジ１３とを有する。操作キー側筐体１１は、操作キー１４及びマイク１５等を有する。表示部側筐体１２は、表示部としての液晶パネル１６、アンテナ１７及びスピーカ１８等を有する。ヒンジ１３内には、ヒンジモジュール１９が組み込まれている。ヒンジモジュール１９によって、表示部側筐体１２は操作キー側筐体１１に対して開く方向にばね付勢されている。操作キー側筐体１１の一の側面１１ａのうちヒンジ１３の近くには、釦２０が設けてある。
【０００５】
通常は、携帯電話機１０は、図１（Ａ）に示すように、表示部側筐体１２が閉じられてロック爪２１によって操作キー側筐体１１に対して結合された閉じた状態にある。
【０００６】
通話を行なう際には、ユーザが閉じた状態の折りたたみ型携帯電話機１０をその操作キー側筐体１１を左手３０のひらに置いて左手３０で掴み、この掴んでいる左手３０の親指３１で釦２０を押す。この操作をすると、回動レバー２２を介してロック爪２１が移動されて後退し、表示部側筐体１２に対するロックが解除され、ヒンジモジュール１９内のばねによって表示部側筐体１２が操作キー側筐体１１に対して回動されて、図１（Ｂ）に示すように開かれる。これによって、ユーザは携帯電話機１０を耳に当てて通話をすることが出来る。
【発明の開示】
【発明が解決しようとする課題】
【０００７】
携帯電話機１０が小型となっていることもあって、閉じた状態の折りたたみ型携帯電話機１０を左手３０で掴んで親指３１で釦２０を押したときに、親指３１の一部が表示部側筐体１２の一方の側面１２ａに接触したり、他の指３２が表示部側筐体１２の反対側の側面１２ｂに接触した状態となり易い。
【０００８】
この状態では、表示部側筐体１２の側面１２ａ、１２ｂに接触している左手３０の指が抵抗となって、表示部側筐体１２が円滑に開かなくなってしまう。
【０００９】
そこで、本発明は、上記課題を解決した折りたたみ型携帯電話機を提供することを目的とする。
【課題を解決するための手段】
【００１０】
請求項１の発明は、ユーザの手に保持される固定側筐体と、ヒンジによって該固定側筐体に対して折りたたみ可能である可動側筐体と、該可動側筐体が該固定側筐体の一面に重なった折りたたまれた状態にロックするロック手段と、該可動側筐体を該固定側筐体に対して開く方向に付勢する開き方向付勢手段と、上記固定側筐体に設けてあり該ロック手段のロックを解除するときに操作されるロック解除操作部とを有する折りたたみ型携帯電話機において、
フレキシブルなベース上に、信号伝送パターンに加えて、内部導体を構成する導体パターン及び外部導体を構成する導体パターンを有し、且つ、上記ベースが上記内部導体を構成する導体パターン及び外部導体を構成する導体パターンとの間に存在して内部絶縁体を形成する構成としたフレキシブルケーブルが、上記ヒンジを通って上記固定側筐体と上記可動側筐体とにまたがって配線してある構成としたものである。
【００１１】
請求項２の発明は、ユーザの手に保持される固定側筐体と、ヒンジによって該固定側筐体に対して折りたたみ可能である可動側筐体と、該可動側筐体が該固定側筐体の一面に重なった折りたたまれた状態にロックするロック手段と、該可動側筐体を該固定側筐体に対して開く方向に付勢する開き方向付勢手段と、上記固定側筐体に設けてあり該ロック手段のロックを解除するときに操作されるロック解除操作部とを有する折りたたみ型携帯電話機において、フレキシブルケーブルと同軸ケーブルとが接着テープによって一体化した構成の同軸型フレキシブルケーブルが、上記ヒンジの個所で、巻き方向が、該フレキシブルケーブルの復元力が、上記可動側筐体を開く方向に作用するような方向であるループを形成して、上記固定側筐体と上記可動側筐体とにまたがって配線してある構成としたものである。
【００１２】
請求項３の発明は、第１の筐体と、第２の筐体と、回転可能にこれらを接続するヒンジ構造とを備えた折りたたみ型携帯電話機において、フレキシブルなベース上に、信号伝送パターンに加えて、内部導体を構成する導体パターン及び外部導体を構成する導体パターンを有し、且つ、上記ベースが内部導体を構成する導体パターン及び外部導体を構成する導体パターンとの間に存在して内部絶縁体を形成する構成としたフレキシブルケーブルが、上記ヒンジを通って上記固定側筐体と上記可動側筐体とにまたがって配線してある構成としたものである。
【発明の効果】
【００１３】
請求項１の発明によれば、フレキシブルケーブルは同軸ケーブル構造を有し、電磁波がフレキシブルケーブルから外部に漏洩することが防止される。よって、フレキシブルケーブルをアンテナからの高周波信号の伝送に利用することが可能となる。このように、同軸ケーブル構造のフレキシブルケーブルをアンテナからの高周波信号の伝送に使用することによって、折りたたみ型携帯電話機を組み立てやすく且つ信頼性の高いものにすることが出来る。
【００１４】
請求項２の発明によれば、同軸型フレキシブルケーブルは、フレキシブルケーブルと同軸ケーブルとが接着テープによって一体化した構成であるため、同軸型フレキシブルケーブルは、複数枚のフレキシブルケーブルを重ねて接着して構成した場合に比べて、簡単に製造することが出来る。また、同軸型フレキシブルケーブルのループの復元力が可動側筐体を開く方向に作用するため、同軸型フレキシブルケーブルを上記のようにループを形成しない場合に比べて、開き方向付勢手段の付勢力を弱くすることが可能である。
【００１５】
請求項３の発明によれば、フレキシブルケーブルは同軸ケーブル構造を有し、電磁波がフレキシブルケーブルから外部に漏洩することが防止される。よって、フレキシブルケーブルをアンテナからの高周波信号の伝送に利用することが可能となる。このように、同軸ケーブル構造のフレキシブルケーブルをアンテナからの高周波信号の伝送に使用することによって、折りたたみ型携帯電話機を組み立てやすく且つ信頼性の高いものにすることが出来る。
【発明を実施するための最良の形態】
【００１６】
以下発明を実施するための最良の形態について説明する。
【実施例１】
【００１７】
〔第１実施例〕
図２（Ａ），（Ｂ）及び図３（Ａ），（Ｂ），（Ｃ）は、本発明の第１実施例になるロック解除釦を押すと自動的に開かれる構造の折りたたみ型携帯電話機５０を示す。図２（Ａ）及び図３は折りたたまれている携帯時の状態を示す。二点鎖線で示す左手３０は折りたたまれている携帯電話機５０を保持しつつそのロックを解除して開こうするときの状態を示す。図２（Ｂ）は開かれた通話時の状態を示す。二点鎖線で示す左手３０は、開かれた携帯電話機５０を保持している状態を示す。Ｘ１，Ｘ２はヒンジ５３の軸線方向、Ｙ１，Ｙ２は携帯電話機５０の長手方向、Ｚ１，Ｚ２は携帯電話機５０の厚さ方向である。
【００１８】
図２及び図３に示すように、携帯電話機５０は、固定側筐体である操作キー側筐体５１と、可動側筐体である表示部側筐体５２と、両者を連結するヒンジ５３とを有する。
【００１９】
操作キー側筐体５１は、覆い部５４、５５、ロック解除釦５６、操作キー５７及びマイク５８等を有する。表示部側筐体５２は、表示部としての液晶パネル５９、アンテナ６０及びスピーカ６１等を有する。
【００２０】
表示部側筐体５２は、後述するようにロックされて閉じた状態とされており、且つ、後述するように操作キー側筐体５１に対して開く方向にばね付勢されている。
【００２１】
通常は、携帯電話機５０は、図２（Ａ）に示すように、表示部側筐体５２が閉じられてロックされて、折りたたまれた状態にある。通話を行なう際には、ユーザは閉じた状態の折りたたみ型携帯電話機５０をその操作キー側筐体５１を左手３０のひらに置いて左手３０で掴み、この掴んでいる左手３０の親指３１でロック解除釦５６を押す。この操作をすると、表示部側筐体５２に対するロックが解除され、ヒンジ５３内のばねによって表示部側筐体５２が操作キー側筐体５１に対してＡ１方向に回動されて、図２（Ｂ）に示すように開かれる。これによって、ユーザは携帯電話機５０を耳に当てて通話をすることが出来る。
【００２２】
図４及び図５は、折り畳まれた状態にある携帯電話機５０を、夫々符号IV及びＶで示すＸ−Ｚ面で断面して示す図である。図６は開かれた状態の携帯電話機５０のヒンジ５３の部分及びロック機構の部分を分解して示す図である。図７（Ａ），（Ｂ），（Ｃ）は開かれた状態の携帯電話機５０のヒンジ５３の部分及びロック機構の部分を示す図である。図８（Ａ），（Ｂ），（Ｃ）は、ロック解除釦部材を示す図である。図９（Ａ），（Ｂ），（Ｃ）、図１０（Ａ）乃至（Ｄ）、図１１（Ａ）乃至（Ｄ）は、図７（Ｂ）中、異なる位置で断面した断面図である。
【００２３】
なお、操作キー側筐体５１は、大略、箱形状のハウジング本体６２とカバー６３とよりなる箱体内に、電子部品が実装されているプリント基板６４が収まっている構成である。同じく、表示部側筐体５２は、大略、箱形状のハウジング本体６５とカバー６６とよりなる箱体内に、電子部品が実装されているプリント基板６７が収まっている構成である。
【００２４】
次に、覆い部５４、５５について説明する。
【００２５】
図１乃至図７に示すように、覆い部５４は、操作キー側筐体５１（ハウジング本体６２）のＸ２方向側の側面５１ａのうちヒンジ５３の近傍の部分よりＺ１方向に張り出し且つＹ１方向に張り出し、且つＸ２方向に膨らんで形成してあり、Ｚ１方向に張り出したＺ１方向張り出し部５４ｚ１及びＹ１方向に張り出したＹ１方向張り出し部５４ｙ１を有する。張り出し部５４ｚ１が、折りたたまれた状態の携帯電話機５０の表示部側筐体５２のＸ２方向側の側面５２ａを覆っている。張り出し部５４ｚ１の内側の面である後述するカバー部材７４の面７４ａと表示部側筐体５２の側面５２ａとは接触していず、図４及び図５に示すように、両者の間には僅かな隙間６８が存在している。
【００２６】
覆い部５５は、上記の覆い部５４と同様に、操作キー側筐体５１（ハウジング本体６２）のＸ１方向側の側面５１ｂのうちヒンジ５３の近傍の部分よりＺ１方向に張り出し且つＹ１方向に張り出し、且つＸ１方向に膨らんで形成してあり、Ｚ１方向に張り出したＺ１方向張り出し部５５ｚ１及びＹ１方向に張り出したＹ１方向張り出し部５５ｙ１を有する。張り出し部５５ｚ１が、折りたたまれた状態の携帯電話機５０の表示部側筐体５２のＸ２方向側の側面５２ｂを覆っている。張り出し部５４ｚ１の内側の壁５５ａと表示部側筐体５２の側面５２ｂとは接触していず、図４及び図５に示すように、両者の間には僅かな隙間６９が存在している。
【００２７】
よって、通話を行なうに際して、ユーザが閉じた状態の折りたたみ型携帯電話機５０をその操作キー側筐体５１を左手３０のひらに置いて左手３０で掴んで、左手３０の親指３１でロック解除釦５６を押したときに、親指３１のうちロック解除釦５６からはみ出た部分は覆い部５４に接触し、表示部側筐体５２の側面５２ａに接触することは起きない。また、他の指３２は専ら反対側の覆い部５５に接触しており、表示部側筐体５２の側面５２ｂに接触することは起きない。このため、表示部側筐体５２の両側の側面５２ａ，５２ｂは左手３０に対してフリーとなり、表示部側筐体５２が左手３０の一部によって開く方向に回動することが制限されることは起きず、表示部側筐体５２は円滑に回動を開始し、表示部側筐体５２が開く動作は円滑に行なわれる。
【００２８】
次に、ロック機構７０及びロック解除操作機構７７について説明する。
【００２９】
ここで、ロック機構７０とロック解除操作機構７７とは密接に関連しており、別個に説明せずに、併せて説明する。
【００３０】
図６、図７に示すように、操作キー側筐体５１のＸ２方向側の側面５１ａの覆い部５４は、内部が空間部５４ａとなっており、ロック機構７０及びロック解除操作機構７７はこの空間部５４ａを利用して組み込まれている。
【００３１】
覆い部５４の内部の空間部５４ａ内には、図８に示すロック部材７１と、軸部材７２と、圧縮コイルばね７３と、カバー部材７４とが組み込まれている。
【００３２】
カバー部材７４は、Ｙ１方向端部７４ｃを操作キー側筐体５１の端と覆い部５４との間に係止され、Ｙ２方向端側をねじ７５によって固定してあり、覆い部５４の空間部５４ａのＸ１方向側の開口を覆っている。
【００３３】
ロック部材７１は、軸受け部７１ａと、軸受け部７１ａより両側に延びた腕部７１ｂ，７１ｃと、腕部７１ｂの先端のフック部７１ｄと、腕部７１ｃの先端のロック解除釦５６とよりなる。ロック解除釦５６は、ロック部材７１の一部である。
【００３４】
ロック部材７１は、覆い部５４をＺ１−Ｚ２方向に貫通している軸部材７２によって軸受け部７１ａを支持されてＹ１−Ｙ２に延在して設けてあり、ロック解除釦５６が覆い部５４の側面側の開口５４ｂに嵌合して外部に露出しており、フック部７１ｄがカバー部材７４の切り欠き部７４ｂよりＸ１方向に突き出ている。ロック部材７１は、ロック解除釦５６とカバー部材７４との間の圧縮コイルばね７３によってＢ１方向に付勢されている。
【００３５】
ロック解除釦５６はヒンジ５３の軸線ＣＬ５３よりＹ２方向に寸法ａずれた位置、即ち、ヒンジ５３の位置ではなく、ヒンジ５３の近くの位置に配されている。
【００３６】
フック部７１ｄは、Ｚ１−Ｚ２方向上、操作キー側筐体５１の上面より少し上側の位置でＸ１方向に突き出ている。表示部側筐体５２の側面５２ａには、閉じた状態でフック部７１ｄが対向する位置に、凹部５２ａ１が形成してある。フック部７０ｄが凹部５２ａ１に嵌合することによって、表示部側筐体５２は図２（Ａ）に示す閉じた状態にロックされている。
【００３７】
ロック解除釦５６が押されると、ロック部材７１がＢ２方向に回動され、フック部７１ｄが空間部５４ａ内に後退し、凹部５２ａ１より外れて、ロックが解除される。
【００３８】
ここで、軸受け部７１ａが支点、ロック解除釦５６が力点、フック部７１ｄが作用点である。腕部７１ｂの長さをＬ１、腕部７１ｃの長さをＬ２とすると、Ｌ１＜Ｌ２となっている。よって、てこの原理によって、ロック解除釦５６を押すための力が軽減されており、ロック解除操作は従来よりも軽い力であり、望ましくは、３００ｇｒ程度の力である。
【００３９】
ロック機構７０は、アーム状のロック部材７１を有しており、比較的嵩張る構造であるけれども、覆い部５４の内部の空間部５４ａ内に収まっており、携帯電話機５０のサイズは小型に構成されている。
【００４０】
ロック部材７１のフック部７０ｄと、表示部側筐体５２の凹部５２ａ１と、圧縮コイルばね７３が、ロック機構７０を構成する。ロック部材７１の軸受け部７１ａと、軸受け部７１ａより両側に延びた腕部７１ｂ，７１ｃと、腕部７１ｃの先端のロック解除釦５６とがロック解除操作機構７７を構成する。
【００４１】
次に、ヒンジ５３の部分について説明する。
【００４２】
図６、図９、図１０、図１１に示すように、表示部側筐体５２のハウジング本体６５は、Ｘ２方向端側からＸ１方向に向かって順に、円筒部６５ａ、半円筒部６５ｂ、切り欠き部６５ｃ、円筒部６５ｄを有する。操作キー側筐体５１のハウジング本体６２は、Ｘ２方向端側からＸ１方向に向かって順に、覆い部５４の張り出し部５４ｙ１、切り欠き部６２ａ、半円筒部６２ｂ、切り欠き部６２ｃ、覆い部５５の張り出し部５５ｙ１を有する。円筒部６５ａと半円筒部６５ｂとが切り欠き部６２ａに嵌合し、半円筒部６２ｂが切り欠き部６５ｃに嵌合し、円筒部６５ｄが切り欠き部６２ｃに嵌合する。また、カバー６６の半円筒部６６ａが半円筒部６５ｂと対向して組み合わせ円筒部８０を形成し、カバー６３の半円筒部６３ａが半円筒部６２ｂと対向して組み合わせ円筒部８１を形成する。組み合わせ円筒部８０と組み合わせ円筒部８１とは隣合っており連通している、
上記円筒部６５ａ内には、軸部材８２と捩じりコイルばね８３とが嵌合している。軸部材８２の角軸部８２ａが張り出し部５４ｙ１の角穴５４ｃに嵌合して、回り止めされている。捩じりコイルばね８３は、軸部材８２に嵌合して円筒部６５ａ内に収まっており、Ｘ２方向側の端部８３ａが軸部材８２に係止され、Ｘ１方向側の端部８３ｂがＸ１方向に見て時計方向に捩じられた状態で、円筒部６５ａの内側に係合されている。角軸部８２ａの先端側にはＥ形止め輪８４が嵌合固定してあり、張り出し部５４ｙ１の開口５４ｄにはキャップ８５が嵌合固定してある。
【００４３】
上記円筒部６５ｄ内には、筒形状のダンパユニット８６が組み込まれている。ダンパユニット８６のケース８６ａは円筒部６５ｄに固定してある。ダンパユニット８６の角軸部８６ｂが張り出し部５５ｙ１の角穴５５ｂに嵌合して、回り止めされている。角軸部８６ａの先端側にはＥ形止め輪８７が嵌合固定してあり、張り出し部５５ｙ１の開口５５ｃにはキャップ８８が嵌合してある。
【００４４】
携帯電話機５０が図２（Ａ）及び図３に示すように折り畳まれている状態においては、捩じりコイルばね８３が捩じられた状態にあり、表示部側筐体５２は、捩じりコイルばね８３の捩じりばね力によって、操作キー側筐体５１に対してＡ１方向に付勢された状態にある。よって、ロック解除釦５６を押してロックが解除されると、捩じりコイルばね８３の捩じりばねの復元力によって、表示部側筐体５２がＡ１方向に回動される。このときダンパユニット８６の作用によって、表示部側筐体５２はゆっくり立ち上がり、図２（Ｂ）に示す最終状態に到ったときの衝撃は十分に緩和される。
【００４５】
また、ヒンジ５３には、同軸ケーブル構造の同軸型フレキシブルケーブル１００が通っている。図６、図９、図１０（Ｄ）、図１１（Ａ）に示すように、フレキシブルケーブル１００は、一端が表示部側筐体５２内のプリント基板６７上のコネクタ７８に接続され、途中でヒンジ５３を通り、他端が操作キー側筐体５１内のプリント基板６４上のコネクタ７９に接続されている。これによって、表示部側筐体５２内のプリント基板６７と操作キー側筐体５１内のプリント基板６４とが電気的に接続されている。
【００４６】
ヒンジ５３の個所では、フレキシブルケーブル１００は、表示部側筐体５２側から操作キー側筐体５１に向かって、Ｘ２側から見て反時計方向に３６０度のループ１０１を形成している。このループ１０１は、上記の隣り合う組み合わせ円筒部８０、８１の内側に収まっている。フレキシブルケーブル１００のループ１０１を形成している部分は、フレキシブルケーブル９０自体の弾性力によって、表示部側筐付体５２を操作キー側筐体５１に対して開くＡ１方向の回動力を付勢する。即ち。ヒンジ５３の個所でループ１０１を形成するように組み込まれているフレキシブルケーブル１００は、捩じりコイルばね８３の捩じりばね力を補助するように作用する。
【００４７】
よって、捩じりコイルばね８３としては、捩じりばね力が、通常の場合よりも、上記のように組み込まれたフレキシブルケーブル１００によって得られる回動力の分、少ないものが使用されている。
【００４８】
次に、上記同軸型のフレキシブルケーブル１００について説明する。
【００４９】
図１２、図１３及び図１４は同軸型フレキシブルケーブル１００の構造を示す。
【００５０】
同軸型フレキシブルケーブル１００は、スペーサ挿入タイプのものであり、内部導体パターン１０２を中央に有するスペーサ部１０３と、このスペーサ部１０３を上下側より挟んで包むベース１０４及び内側の上側カバーレイ１０５と、ベース１０４及び上側カバーレイ１０５を上下より覆う上カバーレイ１０６及び下カバーレイ１０７と、両端側を補強する補強板１０８、１０９とよりなる。
【００５１】
スペーサ部１０３は、上面に内部導体パターン１０２を有する下側スペーサ１１０と、上側スペーサ１１１とが重なった構成である。
【００５２】
ベース１０４は、下面の中央に帯状のパターン１０４ａを有し、上面の両側に信号伝送用パターン１０４ｂを複数有する。各信号伝送用パターン１０４ｂは、その両端に端子１０４ｃ、１０４ｄを有する。更に、ベース１０４の上面の中央の両端側には、内部導体パターン１０４ｅ，１０４ｆが形成してある。各内部導体パターン１０４ｅ，１０４ｆは、その端に端子１０４ｇ、１０４ｈを有する。
【００５３】
上側カバーレイ１０５は、上面の中央に帯状パターン１０５ａを有する。上側カバーレイ１０５は、ベース１０４と同じ幅を有し、スペーサ部１０３と、内部導体パターン１０４ｅ，１０４ｆと、信号伝送用パターン１０４ｂを覆う。
【００５４】
ベース１０４及び上側カバーレイ１０５がスペーサ部１０３を上下側より挟んで包んだ状態で、内部導体パターン１０２と内部導体パターン１０４ｅとがスルーホール１１０によって接続されており、内部導体パターン１０２と内部導体パターン１０４ｆとがスルーホール１１１によって接続されている。また、内部導体パターン１０２の両側に沿って、スルーホール列１１２、１１３を有する。スルーホール列１１２は、第１の上側カバーレイ１０５及びベース１０４を貫通して帯状パターン１０５ａと帯状のパターン１０４ａとを電気的に接続するスルーホール１１２ａが複数、ピッチｐで並んでいる構成である。同じく、スルーホール列１１３は、上側カバーレイ１０５及びベース１０４を貫通して帯状パターン１０５ａと帯状パターン１０４ａとを電気的に接続するスルーホール１１３ａが複数、ピッチｐで並んでいる構成である。スルーホール１１２ａ、１１３ａのピッチｐは、内部導体パターン１０２を伝送される高周波信号の周波数によって決まり、隣合うスルーホールの間より電磁波が漏れでないような値である。
【００５５】
上カバーレイ１０６は、上側カバーレイ１０５の帯状パターン１０５ａを覆う。下カバーレイ１０７は、ベース１０４の帯状パターン１０４ａを覆う。
【００５６】
合成樹脂製の補強板１０８は、ベース１０４の一端側の下面に固定してあり、端子１０４ｃ、１０４ｇを補強している。別の合成樹脂製の補強板１０９は、ベース１０４の他端側の下面に固定してあり、端子１０４ｄ、１０４ｈを補強している。
【００５７】
上記の各パターン１０２等は銅製である。上側スペーサ１１１はテフロン(登録商標）製である。ベース１０４、上側カバーレイ１０５、上カバーレイ１０６、下カバーレイ１０７、下側スペーサ１１０は、共にポリイミドアミド製である。
【００５８】
内部導体パターン１０２，１０４ｅ，１０４ｆが、内部導体を構成する。下側スペーサ１１０、上側スペーサ１１１、及びベース１０４、上側カバーレイ１０５のうちスペーサ１１０、１１１に対向する部分が、内部絶縁体を構成する。帯状パターン１０５ａ、１０４ａ及びスルーホール列１１２、１１３が、外部導体を構成する。上カバーレイ１０６及び下カバーレイ１０７が、外部絶縁体を構成する。
【００５９】
上記フレキシブルケーブル１００が図６に示すように両端側をコネクタ７８、７９に接続されて携帯電話機５０内に組み込まれた状態で、内部導体パターン１０２，１０４ｅ，１０４ｆには、アンテナ６１からの高周波信号が伝送される。フレキシブルケーブル１００が同軸構造であるため、電磁波がフレキシブルケーブル１００から外部に漏洩することが防止される。
【００６０】
〔他の実施例〕
図１５は本発明の第２実施例になる折りたたみ型携帯電話機５０Ａを示す。折りたたみ型携帯電話機５０Ａは、図１（Ａ），（Ｂ）に示す携帯電話機１０とは、操作キー側筐体１１Ａの側面１１ａのうちヒンジ１３の近くの部位に、凸部１５０を設け、ここに、ロック解除用の釦２０が設けてある点が相違する。凸部１５０は、表示部側筐体１２の側面１２ａから突出するように形成してある。
【００６１】
図１５（Ａ）は折りたたまれている携帯時の状態を示す。二点鎖線で示す左手３０は折りたたまれている携帯電話機５０Ａを保持しつつそのロックを解除して開こうするときの状態を示す。図１５（Ｂ）は開かれた通話時の状態を示す。
【００６２】
釦２０が凸部１５０に設けてあるため、図１５（Ａ）に示す状態で、親指３１で釦２０を押した場合に、親指３１のうち釦２０よりはみ出た部分は専ら凸部１５０に当たって、表示部側筐体１２の側面１２ａには接触しない。よって、表示部側筐体１２は円滑に回動を開始し、表示部側筐体１２が開く動作は円滑に行なわれる。
【００６３】
図１６は本発明の第３実施例になる折りたたみ型携帯電話機５０Ｂを示す。折りたたみ型携帯電話機５０Ｂは、図１（Ａ），（Ｂ）に示す携帯電話機１０とは、表示部側筐体１２Ｂの側面１２ａのうち、ロック解除用の釦２０に隣接する部分に、窪み部１６０が形成されている点が相違する。
【００６４】
図１６（Ａ）は折りたたまれている携帯時の状態を示す。二点鎖線で示す左手３０は折りたたまれている携帯電話機５０Ｂを保持しつつそのロックを解除して開こうするときの状態を示す。図１６（Ｂ）は開かれた通話時の状態を示す。
【００６５】
釦２０が凸部１５０に設けてあるため、図１６（Ａ）に示す状態で、親指３１で釦２０を押した場合に、親指３１のうち釦２０よりはみ出た先端の部分は窪み部１６０内に入り込み、表示部側筐体１２Ｂには接触しない。よって、表示部側筐体１２Ｂは円滑に回動を開始し、表示部側筐体１２Ｂが開く動作は円滑に行なわれる。
【００６６】
図１７（Ａ），（Ｂ）はロック機構及びロック解除機構の変形例を示す。
【００６７】
ロック解除釦５６Ａは、一端が軸１２０によって支持されているアーム１２１の先端側に設けてある。アーム１２１の途中にピン部１２１ａが突き出している。アーム１２１及びロック解除釦５６Ａは覆い部５４Ａの内部空間に収まっている。
【００６８】
表示部側筐体５２Ａのハウジング本体６５Ａの円筒部６５Ａａ内に、筒形状のヒンジモジュール１３０が組み込まれている。ヒンジモジュール１３０は、軸部１３１と、この軸部１３１に回動可能に且つ軸方向に変位可能に支持されているディスク部１３２と、ディスク部１３２を軸部１３１に対してロックするロック部１３３と、ディスク部１３２を軸部１３１に対してＡ１方向に付勢する捩じりコイルばね１３４と、ディスク部１３２をＸ２方向に付勢するばね１３５とを有する。軸部１３１は操作キー側筐体５１Ａに固定してある。ディスク部１３２は円筒部６５Ａａ内に、Ａ１，Ａ２方向には一体的に回動し、Ｘ１，Ｘ２方向に移動可能な状態で組み込まれている。
【００６９】
ロック解除釦５６Ａを押すと、ピン部１２１ａがディスク部１３２をＸ１方向に押し、ロック部１３３が外れて、捩じりコイルばね１３４によってディスク部１３１がＡ１方向に回動され、表示部側筐体５２Ａが同じくＡ１方向に回動されて開かれる。
【００７０】
ピン部１２１ａがディスク部１３２を押す力は、てこの原理によって、ロック解除釦５６Ａを押す力に比べて強くなっている。よって、ユーザがロック解除釦５６Ａを押す力は弱くて足りる。
【００７１】
次に、ループ１０１を形成して組み込まれる同軸型フレキシブルケーブル１００の変形例を示す。
【００７２】
図１８、図１９及び図２０は、第１の変形例である同軸型フレキシブルケーブル１００Ａを示す。
【００７３】
同軸型フレキシブルケーブル１００Ａは、標準タイプであり、前記の同軸型フレキシブルケーブル１００の中の、上側スペーサ１１１及び上カバーレイ１０６を省略してなる構造である。図１８、図１９及び図２０中、図１２、図１３及び図１４に示す構成部分と対応する部分には添字Ａを付した同一符号を付す。
【００７４】
同軸型フレキシブルケーブル１００Ａは、スペーサ１１０Ａをベース１０４Ａと上側カバーレイ１０５Ａとで挟んで包み、ベース１０４Ａの下側に下カバーレイ１０７Ａを有し、両端側に補強板１０８Ａ、１０９Ａを有する構成である。
【００７５】
内部導体パターン１０２Ａはベース１０４Ａの上面に形成してある。ベース１０４Ａの下面に帯状パターン１０４Ａａが形成してある。スペーサ１１０Ａの上面に帯状パターン１０５Ａａが形成してある。帯状パターン１０４ａと帯状パターン１０５Ａａとが、スルーホール列１１２Ａ，１１３Ａで接続されている。
【００７６】
内部導体パターン１０２Ａが内部導体を構成し、スペーサ１１０Ａ及びベース１０４の一部が内部絶縁体を構成し、帯状パターン１０５Ａａ、１０４Ａａ及びスルーホール列１１２Ａ、１１３Ａが外部導体を構成し、上側カバーレイ１０５Ａ及び下カバーレイ１０７Ａが外部絶縁体を構成する。
【００７７】
図２１は、第２の変形例である同軸型フレキシブルケーブル１４０を示す。
【００７８】
この同軸型フレキシブルケーブル１４０は、フレキシブルケーブル１４１の上面の中央に、線径が約１ｍｍと細い同軸ケーブル１４２を沿わせ、接着テープ１４３で同軸ケーブル１４２をフレキシブルケーブル１４１に固定してなる構成である。この同軸型フレキシブルケーブル１４０も、前記のようにループ１０１を形成して折りたたみ型携帯電話機に組み込まれる。
【００７９】
なお、上記の同軸ケーブル１４２を単独で前記のようにループ１０１を形成して組み込んでもよい。
【図面の簡単な説明】
【００８０】
【図１】従来の折りたたみ型携帯電話機を示す図である。
【図２】本発明の第１実施例になる折りたたみ型携帯電話機を示す図である。
【図３】図２の折りたたみ型携帯電話機を示す図である。
【図４】図３中、IV-IV 線に沿う断面図である。
【図５】図３中、Ｖ−Ｖ線に沿う断面図である。
【図６】ヒンジ及びロック機構の部分を分解して示す図である。
【図７】ヒンジ及びロック機構の部分を示す図である。
【図８】ロック解除釦部材を示す図である。
【図９】図７（Ｂ）中、異なる位置で断面した断面図である。
【図１０】図７（Ｂ）中、異なる位置で断面した断面図である。
【図１１】図７（Ｂ）中、異なる位置で断面した断面図である。
【図１２】同軸型フレキシブルケーブルを示す図である。
【図１３】図１２の同軸型フレキシブルケーブルの構造を示す図である。
【図１４】図１２（Ａ）中、異なる位置で断面した断面図である。
【図１５】本発明の第２実施例になる折りたたみ型携帯電話機を示す図である。
【図１６】本発明の第３実施例になる折りたたみ型携帯電話機を示す図である。
【図１７】ロック機構及びロック解除機構の変形例を示す図である。
【図１８】同軸型フレキシブルケーブルの第１の変形例を示す図である。
【図１９】図１８の同軸型フレキシブルケーブルの構造を示す図である。
【図２０】図１８（Ａ）中、異なる位置で断面した断面図である。
【図２１】同軸型フレキシブルケーブルの第２の変形例を示す図である。
【符号の説明】
【００８１】
５０、１０Ａ，１０Ｂ  折りたたみ型携帯電話機
５１  操作キー側筐体
５２  表示部側筐体
５３  ヒンジ
５４、５５  覆い部
５６  ロック解除釦
７０  ロック機構
７７  ロック解除操作機構
１００  同軸型フレキシブルケーブル
１０１  ループ
【図１】
2005295593.tif 000003
【図２】
2005295593.tif 000004
【図３】
2005295593.tif 000005
【図４】
2005295593.tif 000006
【図５】
2005295593.tif 000007
【図６】
2005295593.tif 000008
【図７】
2005295593.tif 000009
【図８】
2005295593.tif 000010
【図９】
2005295593.tif 000011
【図１０】
2005295593.tif 000012
【図１１】
2005295593.tif 000013
【図１２】
2005295593.tif 000014
【図１３】
2005295593.tif 000015
【図１４】
2005295593.tif 000016
【図１５】
2005295593.tif 000017
【図１６】
2005295593.tif 000018
【図１７】
2005295593.tif 000019
【図１８】
2005295593.tif 000020
【図１９】
2005295593.tif 000021
【図２０】
2005295593.tif 000022
【図２１】
2005295593.tif 000023